(57)【要約】【課題】ＩＣチップ搭載領域を狭くでき、また、隣接する画素で生じた短絡により点灯している不良画素の検出を高めた液晶表示パネルを提供すること。【解決手段】複数の走査線１２及び信号線１３とＩＣチップ搭載領域３０とが設けられたアレイ基板１０と、３色のカラーフィルタ２３が各色毎に信号線１３に沿って設けられたカラーフィルタ基板２０と、を備えた液晶表示パネル１において、アレイ基板１０上の少なくとも信号線１３は、ＩＣチップ搭載領域３０まで導出されて端部にバンプ用端子３１が形成され、バンプ用端子３１からは引出し線３３がＩＣチップ搭載領域３０内に向かって更に導出されて端部に検査用端子３２が形成されており、複数の検査用端子３２のうち、特定色のカラーフィルタに対応する検査用端子と、特定色以外の残りの２色のカラーフィルタに対応する検査用端子とがそれぞれ異なる列に位置するように２列に配設されている。【選択図】図３
2008233730.tif 000002
【特許請求の範囲】
【請求項１】
マトリクス状に配設された複数の走査線及び信号線を備えるとともに液晶駆動用のＩＣ
チップが搭載されるＩＣチップ搭載領域が設けられたアレイ基板と、３色のカラーフィル
タが色毎に前記信号線に沿って設けられたカラーフィルタ基板と、を備え、前記アレイ基
板と前記カラーフィルタ基板とを対向させて周囲をシール材を介して貼り合わせ、該アレ
イ基板及びカラーフィルタ基板間に液晶を封入してなる液晶表示パネルにおいて、
前記アレイ基板上の少なくとも前記複数の信号線は、前記ＩＣチップ搭載領域まで導出
されて端部に前記ＩＣチップのバンプ端子に接続されるバンプ用端子が形成され、前記複
数のバンプ用端子からは、引出し線が前記ＩＣチップ搭載領域内に向かって更に導出され
て端部に検査用端子が形成されており、
前記複数の検査用端子のうち、特定色のカラーフィルタに対応する検査用端子と、該特
定色以外の残りの２色のカラーフィルタに対応する検査用端子とが異なる列に位置するよ
うに２列に配設されていることを特徴とする液晶表示パネル。
【請求項２】
前記特定色以外の残りの２色のカラーフィルタに対応する検査用端子に接続された引出
し線は前記特定色のカラーフィルタに対応する検査用端子に接続された引出し線より長く
延在されていることを特徴とする請求項１に記載の液晶表示パネル。
【請求項３】
前記特定色以外の残りの２色のカラーフィルタに対応する検査用端子は、互いに等間隔
となるように配設されていることを特徴とする請求項１に記載の液晶表示パネル。
【請求項４】
前記カラーフィルタは赤（Ｒ）、緑（Ｇ）、青（Ｂ）の３色から構成され、前記信号線
に沿ってストライプ状に配設されており、前記特定色とは緑（Ｇ）であることを特徴とす
る請求項１に記載の液晶表示パネル。
【発明の詳細な説明】
【技術分野】
【０００１】
本発明は液晶表示パネルに関し、特に、ＣＯＧ（Chip On Glass）型の液晶表示パネル
において液晶駆動用ＩＣ（Integrated Circuit）チップ（あるいはＬＳＩ（Large Scale 
Integrated circuit）チップ）搭載前に行われる中間機能検査を効率的に行うことが可能
な液晶表示パネルに関する。
【背景技術】
【０００２】
ＣＯＧ型の液晶表示パネルは、液晶駆動用の配線が設けられたアレイ基板が対向配置さ
れるカラーフィルタ基板よりも長尺となるようにアレイ基板に延在部が設けられている。
そして、この延在部にＩＣチップ搭載領域が設けられ、更にはこのＩＣチップ搭載領域に
各種配線を導出してバンプ用端子を形成し、このバンプ用端子にＩＣチップのバンプ端子
を接続させることでＩＣチップによる駆動制御がなされるようになっている。
【０００３】
このようなＣＯＧ型の液晶表示パネルにおいては、アレイ基板上にＩＣチップを搭載す
る前に、各種配線の断線あるいは配線間の短絡の有無等を検査する目的でＩＣチップ搭載
領域に導出された配線の中間機能検査が行われている。この中間機能検査は、通常各種配
線に設けられたバンプ用端子に導電接触ピンを接触させて行ういわゆるピンプローブ方式
を用いて行われている。
【０００４】
しかしながら、近年の液晶表示パネルの小型化の要求に伴って、延在部及びＩＣチップ
搭載領域も小さくなってきており、ピンプローブ方式の検査方法では中間機能検査が難し
くなってきている。したがって、上記の点を解決する方法が種々検討され、特許文献にも
紹介されている（例えば下記特許文献１及び２参照）。
【０００５】
下記特許文献１に開示された液晶表示パネルは、互いに隣接するバンプ用端子を異なる
列上に形成し、バンプ用端子を２列に配置することで個々のバンプ用端子の面積を大きく
形成することができ、ピンプローブ方式の検査方法でも十分な検査が行えるものである。
しかしバンプ用端子を用いて直接検査を行うと、検査の際にバンプ用端子が破損する恐れ
がある。そこでバンプ用端子とは別に検査のための専用の端子を設けたものが、下記特許
文献２に開示されている。
【０００６】
下記特許文献２に開示された液晶表示装置は、走査線又は信号線に接続された出力電極
パッド（バンプ用端子）から更に端子電極配線を設け、この端子電極配線の端部に形成さ
れる検査用端子を配設したものである。そして、この検査用電極パッドは隣接する検査用
端子を交互にずらして２列で配設したり、色毎に異なる列に配設する３列構成としたりし
ている。なお、検査用端子を交互に２列に配設するものとしては、下記特許文献３に記載
されているものも知られている。
【特許文献１】特開２０００−１３７２３９号公報（図３）
【特許文献２】特開２０００−３２１５９１号公報（図３、図４）
【特許文献３】特開平１１−２０２３５３号公報（図１）
【発明の開示】
【発明が解決しようとする課題】
【０００７】
しかし、上述したようなＩＣチップ搭載領域において、バンプ用端子とは別に検査用端
子を設けた場合において、従来から知られている、隣接する検査用端子を交互にずらして
２列に配設するもの、色毎に異なる列に３列構成で配設するものには、次のような問題が
ある。
【０００８】
先ず、隣接する検査用端子を交互にずらして配設する場合は、前列を一斉点灯させると
、Ｒ、Ｇ、Ｂの三色が点灯するので、白表示になる。この場合、本来点灯していない後列
の画素だが、何らかの理由で前列の画素と短絡が生じている場合にはその画素も点灯する
。この時この短絡している不良画素の点灯が発見できれば、不良のパネルであることがわ
かるが、白表示の中から、短絡している不良画素を検出することは実際には非常に難しい
。したがって、短絡により点灯している不良画素を見逃してしまうことがあり、隣接する
検査用端子を交互にずらして配設した場合には、短絡による不良画素の検査が従来から十
分ではなかった。
【０００９】
また、色毎に異なる列に検査用端子を配設することで、Ｒ、Ｇ、Ｂの３列からなる検査
用端子を配設する場合は、３列必要となるため、先ほどの２列の方法に比べ、検査用端子
が占める領域が増加してしまっていた。この検査用端子の占める領域は、本来実際の表示
の際には必要ないため、最近の挟額縁化やＩＣチップの小型化においては、好ましいこと
ではない。
【００１０】
上述の課題を解決するため、本発明者らは、バンプ用端子からＩＣチップ搭載領域内に
引出線を引き出し、その先端部に検査用端子を設ける構造において、ＩＣチップ搭載領域
を狭くでき、また、隣接する画素で生じた短絡により点灯している不良画素の検出を高め
た液晶表示パネルを提供する。
【課題を解決するための手段】
【００１１】
マトリクス状に配設された複数の走査線及び信号線を備えるとともに液晶駆動用のＩＣ
チップが搭載されるＩＣチップ搭載領域が設けられたアレイ基板と、３色のカラーフィル
タが各色毎に前記信号線に沿って設けられたカラーフィルタ基板と、を備え、前記アレイ
基板と前記カラーフィルタ基板とを対向させて周囲をシール材を介して貼り合わせ、該ア
レイ基板及びカラーフィルタ基板間に液晶を封入してなる液晶表示パネルにおいて、前記
アレイ基板上の少なくとも前記複数の信号線は、前記ＩＣチップ搭載領域まで導出されて
端部に前記ＩＣチップのバンプ端子に接続されるバンプ用端子が形成され、前記複数のバ
ンプ用端子からは、引出し線が前記ＩＣチップ搭載領域内に向かって更に導出されて端部
に検査用端子が形成されており、前記複数の検査用端子のうち、特定色のカラーフィルタ
に対応する検査用端子と、該特定色以外の残りの２色のカラーフィルタに対応する検査用
端子とが異なる列に位置するように２列に配設されていることを特徴とする。
【００１２】
上記発明によれば、検査用端子を３列で配設にする場合に比べ、２列となるので１列分
のスペースが不要となり、ＩＣチップ搭載領域を狭くすることができる。
また、例えば２列の前列を点灯させた場合には、１色だけの点灯の中から、短絡により
点灯している後列の他の色からなる不良画素を見つければよいので、白色の中から不良画
素を見つける場合に比べ見つけやすくなる。また後列の２色を点灯させた場合、短絡によ
り点灯している前列の色からなる不良画素を見つければよいので、白色の中から不良画素
を見つける場合に比べ見つけやすくなる。このように隣接する画素間での短絡による不良
画素の検出率を、白色表示の中から不良画素を見つける場合に比べ高めることができる。
つまり、決められたＩＣチップ搭載領域の中で、隣接する画素での短絡による不良画素の
検出率を最大限に高めることができる。
【００１３】
また、上記発明においては、前記特定色以外の残りの２色のカラーフィルタに対応する
検査用端子に接続された引出し線は前記特定色のカラーフィルタに対応する検査用端子に
接続された引出し線より長く延在されていることを特徴とする。
【００１４】
上記発明によれば、特定色のカラーフィルタに対応する検査用端子に接続された引出し
線を短くすることで、特定色以外の残りの２色のカラーフィルタに対応する検査用端子が
配列された列上に引出し線がなくなる。したがって、この引出し線と特定色以外のカラー
フィルタに対応する検査用端子との間で短絡が生じたり、寄生容量が発生したりすること
が無くなる。なお、特定色のカラーフィルタに対応する検査用端子が配列された列では検
査端子同士の間隔が比較的広いため、短絡等の恐れが少ない。
【００１５】
また、上記発明においては、前記特定色以外の残りの２色のカラーフィルタに対応する
検査用端子は、互いに等間隔となるように配設されていることを特徴とする。
【００１６】
上記発明によれば、特定色以外のカラーフィルタに対応する検査用端子はその列方向の
間隔が特定色のカラーフィルタに対応する検査用端子との関係でまちまちとなる。そのた
め、検査用端子同士の間隔が小さい検査用端子同士の間で短絡が生じやすい。しかしなが
ら、上述のように特定色以外のカラーフィルタに対応する検査用端子同士の間隙を等間隔
にすることにより、上述のような短絡を抑制することができる。また、このように検査用
端子同士の間隔を等間隔にすれば、検査用端子自体を大きくすることもできるようになる
。
【００１７】
また、上記発明においては、前記カラーフィルタは赤（Ｒ）、緑（Ｇ）、青（Ｂ）の３
色から構成され、前記信号線に沿ってストライプ状に配設されており、前記特定色とは緑
（Ｇ）であることを特徴とする。
【００１８】
上記発明によれば、カラーフィルタを信号線に併せてストライプ状に形成することで信
号線毎に１つの色に対応する構造とすることができる。また、特定色としてＲ、Ｇ、Ｂの
各色のうち、最も視認しやすい緑（Ｇ）を選択することにより、検査員が視認した際に短
絡及び断線の視認漏れが生じにくく、高精度な中間機能検査を実行することが可能となる
。
【発明を実施するための最良の形態】
【００１９】
以下、図面を参照して本発明の最良の実施形態を説明する。但し、以下に示す実施形態
は、本発明の技術思想を具体化するための液晶表示パネルを例示するものであって、本発
明をこの液晶表示パネルに特定することを意図するものではなく、特許請求の範囲に含ま
れるその他の実施形態のものも等しく適応し得るものである。
【実施例１】
【００２０】
図１は本発明の一実施例に係る液晶表示パネルを示す平面図、図２は図１のII−II線で
切断した断面図、図３は図１の液晶表示パネルのＩＣチップ搭載前における図１のIII部
の拡大平面図、図４は図１の液晶表示パネルのIV部の概略拡大平面図である。なお、図４
では各色のカラーフィルタ２３と信号線１３との関係が分かりやすいようにその他の部材
を省略して示している。
【００２１】
本実施例の液晶表示パネル１は、図１及び図２に示すように、その表面に各種配線が設
けられた矩形状のガラス基板１１からなるアレイ基板１０と、アレイ基板１０よりも長手
方向の長さが短い同じく矩形状のガラス基板２１からなるカラーフィルタ基板２０と、か
らなり、この両基板１０、２０を周囲にシール材２を介在させ貼り合わされて構成されて
いる。
【００２２】
アレイ基板１０を構成するガラス基板１１には、カラーフィルタ基板２０と貼り合わせ
た状態で外方に所定長さ延在する延在部１１ａを備えている。また、アレイ基板１０上に
は表示領域ＤＡ内にマトリクス状に設けられた複数の走査線１２及び信号線１３を有し、
これらの走査線１２及び信号線１３の交差部分には図示しないスイッチング素子、例えば
薄膜トランジスタ（ＴＦＴ）が設けられて、走査線１２及び信号線１３により区画された
領域が１画素を形成する画素領域１６（図４参照）となっている。なお、図２に示す符号
１４はゲート絶縁膜であり、符号１５は保護絶縁膜（パッシベーション膜ともいう）であ
る。
【００２３】
また、延在部１１ａには所定の大きさで矩形状に区画されたＩＣチップ搭載領域３０が
設けられており、このＩＣチップ搭載領域３０上には所定高さを有する矩形状の液晶駆動
用ＩＣチップＤＲが取り付けられる。そして、走査線１２及び信号線１３は表示領域ＤＡ
外に導出され、アレイ基板１０の額縁部分に引回され、端部がＩＣチップ搭載領域３０内
まで延びており、このＩＣチップ搭載領域３０内まで引回された走査線１２及び信号線１
３の端部にはＩＣチップＤＲに設けられたバンプ端子Ｂに接続されるバンプ用端子３１が
それぞれ形成されている。このバンプ用端子３１のうち信号線１３に接続されたものは表
示領域ＤＡに近接するＩＣチップ搭載領域３０の長辺に千鳥状に２列で配設されており、
走査線に接続されたものはＩＣチップ搭載領域３０の対向する短辺に千鳥状に２列で配設
されている。なお、信号線１３は、図２に示すように表示領域ＤＡ外に導出された時点で
その配線される層が変更されている。詳しくはゲート絶縁膜１４上に配線された信号線１
３がこのゲート絶縁膜１４の下層の配線（走査線１２と同一層の配線）となるように図２
のＡ部においてその配線層が変更されている。
【００２４】
また、走査線１２及び信号線１３の端部に設けられたバンプ用端子３１は、ゲート絶縁
膜１４及び層間絶縁膜１５に設けられたコンタクトホールＣＨ１上に導電性膜を配設する
ことにより形成されている。さらに、走査線１２及び信号線１３のうち、少なくとも信号
線１３の端部に設けられたバンプ用端子３１からは更に引出し線３３がＩＣチップ搭載領
域３０内に引き伸ばされ、この引出し線３３の端部には検査用端子３２が設けられている
。この検査用端子３２も、バンプ用端子３１と同様にゲート絶縁膜１４及び層間絶縁膜１
５に設けられたコンタクトホールＣＨ２上に導電性膜を配設することにより形成されてい
る。
【００２５】
加えて、ＩＣチップ搭載領域３０の信号線１３に接続されたバンプ用端子３１が配設さ
れた長辺に対向する長辺側には、この長辺に沿って入力側バンプ用端子３４が更に設けら
れており、この入力側バンプ用端子３４からアレイ基板１０の近接する外縁部に入力用配
線１７が設けられており、この入力用配線１７はＦＰＣ（Flexible Printed Circuit）に
接続され、このＦＰＣを介して図示しない制御基板からの入力信号をＩＣチップＤＲに入
力するようになっている。
【００２６】
カラーフィルタ基板２０は、図１及び図２に示すように、アレイ基板１０のガラス基板
１１よりも小さなガラス基板２１から構成されている。そして、このガラス基板２１のア
レイ基板１０に対向する表面には、アレイ基板１０上にマトリクス状に設けられた走査線
１２及び信号線１３に対向する位置に、同じくマトリクス状にブラックマトリクス２２が
形成されており、このブラックマトリクス２２で区画された領域にカラーフィルタ２３が
設けられている。このカラーフィルタ２３は赤（Ｒ）、緑（Ｇ）、青（Ｂ）の３色で構成
され、各色のカラーフィルタ２３Ｒ、２３Ｇ、２３Ｂは信号線１３に沿ってストライプ状
に形成されている（図４参照）。また、このカラーフィルタ２３Ｒ、２３Ｇ、２３Ｂを覆
うようにＩＴＯ（Indium-Tin-Oxide）からなる共通電極２４が設けられている。
【００２７】
次にアレイ基板１０上に設けられたＩＣチップ搭載領域３０の構造について主に図３を
参照して説明する。なお、以下においては走査線１３の引回し構造は公知のものと同一で
あるので、その説明は省略する。
【００２８】
ＩＣチップ搭載領域３０は延在部１１ａのほぼ中央部に設けられており、長手方向の長
さは液晶表示パネル１の短手方向より短い長さであり、短手方向の長さＬ１は５００〜１
２００μｍ、好ましくは７００μｍとなっている。このように、短手方向の長さＬ１が５
００〜１２００μｍと非常に小さいのは、延在部１１ａの小型化及びＩＣチップＤＲの単
価コストの関係上このように設定されているものであり、また最近の挟額縁の要求による
ものである。
【００２９】
このＩＣチップ搭載領域３０内には、図３に示すように、複数本の信号線１３ａ〜１３
ｎが引回されており、その端部にそれぞれバンプ用端子３１ａ〜３１ｎが設けられている
。このバンプ用端子３１ａ〜３１ｎは互いに隣接する端子同士が互い違いに配置されるよ
うに千鳥状に設けられている。
【００３０】
千鳥状に形成されたバンプ用端子３１ａ〜３１ｎからは、更に引出し線３３ａ〜３３ｎ
がそれぞれＩＣチップ領域３０の中央部に向かって延出されており、この引出し線３３ａ
〜３３ｎの端部には検査用端子３２ａ〜３３ｎがそれぞれ設けられている。この検査用端
子３２ａ〜３２ｎの長さＬ３は信号線１３の本数によって適宜変更されるものであるが、
例えば４１〜２００μｍ程度が好ましい。また、これらの検査用端子３２ａ〜３２ｎの端
部と入力側バンプ用端子３４との間の長さＬ２は少なくとも１００μｍ程度あると好まし
い。
【００３１】
ところで、カラーフィルタ基板２０に設けられたカラーフィルタ２３は、図４に示すよ
うにＲ、Ｇ、Ｂの各色毎に信号線１３に沿ってストライプ状に形成されているため、１つ
の信号線、例えば信号線１３ａに信号が入力された際に発光する色は全てＲである。同様
に信号線１３ｂはＧを発光する信号線となっており、信号線１３ｃはＢを発光する信号線
となっている。この点から、本発明の検査用端子３２ａ〜３２ｎはその信号により発光さ
れるカラーフィルタの色成分に基づいてその配置が設定されている。
【００３２】
すなわち、本実施例に係る液晶表示パネル１においては、３色のカラーフィルタ２３Ｒ
、２３Ｇ、２３Ｂに対応する複数本の信号線１３に接続された検査用端子３２ａ〜３２ｎ
のうち、特定色として緑（Ｇ）が選択され、カラーフィルタ２３Ｇに対応する信号線（例
えば１３ｂ）に接続された検査用端子（例えば３２ｂ）を、他の色（Ｒ及びＢ）のカラー
フィルタ２３Ｒ、２３Ｂに対応する信号線（例えば１３ａ、１３ｃ）に接続された検査用
端子（例えば３２ａ、３２ｃ）とは異なる配列として２列配置している。なお、図３では
検査用端子３２ａ〜３２ｎが何れのカラーフィルタ２３Ｒ、２３Ｇ、２３Ｂに対応してい
るのかを明確にするため、対応する色成分（Ｒ、Ｇ、Ｂ）を記載している。
【００３３】
検査用端子３２ａ〜３２ｎそれぞれに接続された引出し線３３ａ〜３３ｎのうち、特定
色（Ｇ）に対応する検査用端子（例えば３２ｂ）に接続されたものは、特定色以外（Ｒ、
Ｂ）に対応する検査用端子（例えば３２ａ、３２ｃ）に接続されたものより短く延出され
ている。すなわち、特定色（Ｇ）に対応する検査用端子（例えば３２ｂ）の方が図３にお
ける上方に配設されている。このように配設することで、特定色以外（Ｒ、Ｂ）の検査用
端子（例えば３２ａ、３２ｃ）間に引出し線３３ｂや検査用端子３２ｂが位置しないため
、この引出し線３３ｂや検査用端子３２ｂに影響されることなく検査用端子３２ａ、３２
ｃを配設することができる。
【００３４】
上述のように特定色の緑（Ｇ）に対応する検査用端子３２ｂ、…のみを異なる列上に配
設すると、例えば検査用端子３２ｃ、３２ｄは隣接した状態で同列上に配設されることに
なる。そこで、特定色の緑（Ｇ）以外に対応する検査用端子３２ａ、３２ｃ、３２ｄ、…
は、隣接する特定色の緑（Ｇ）に対応する検査用端子３２ｂ、…側に所定距離横方向にず
れた位置に配設されている。すなわち、例えば図３における検査用端子３２ａは検査用端
子３２ｂが設けられた方向（図中左方向）にずらして配置されており、また、検査用端子
３２ｃは検査用端子３２ｂが設けられた方向（図中右方向）にずらして配置されている。
このように配設することにより、互いに近接する検査用端子３２ａ〜３２ｎ同士の距離を
等間隔に保つことができると共に、検査用端子３２ａ〜３２ｎをバンプ用端子３１ａ〜３
１ｎに比較して大きく形成することも可能である。
【００３５】
上述した構成を備える液晶表示パネル１における中間機能検査方法について、特に図３
及び図４を参照して以下に説明する。
先ず、この中間機能検査は検査員による目視によって行われるものであり、具体的には
検査用端子３２ａ〜３２ｎにプローブを接触させ、このプローブを介して電圧を印加する
ことで、各検査用端子３２ａ〜３２ｎに対応する画素領域１６を発光させて検査するもの
である。
【００３６】
本発明の中間機能検査においては、帯状の導電プローブ（図示省略）を用い、この帯状
検査プローブを図３に示すプローブ接触位置ＰＰに接触させる。次いで、このように検査
プローブを接触させた状態で走査線１２を全てＯＮ状態とし、帯状の導電プローブに電圧
を印加すると、図４に示すように、特定色（Ｇ）のカラーフィルタ２３Ｇが設けられた画
素領域１６がＯＮ状態となり、信号線１３間や、隣接する画素電極間に短絡あるいは断線
が無ければ、検査員には表示領域ＤＡ全体が緑色（Ｇ）に発光した状態に視認される。こ
のとき、例えば信号線１３ｂと１３ａとの間に短絡が生じている場合には信号線１３ａに
も電圧が印加されることになるため、検査員には短絡が生じた部分だけが緑色（Ｇ）では
なく、緑（Ｇ）と赤（Ｒ）が混ざって黄色に近い色で発光されていることが視認されるこ
とになる。なお、帯電プローブを２列目の青（Ｂ）と赤（Ｒ）の検査用端子３２ａ、３２
ｃ、３２ｄ、…に接触させた場合には、カラーフィルタ２３Ｂ、２３Ｒが設けられた画素
領域１６がＯＮ状態となり、信号線１３間や隣接する緑色（Ｇ）の画素電極との間に短絡
等がなければ、検査員には表示領域ＤＡ全体が青色（Ｂ）と赤色（Ｒ）の混色表示となっ
て認識される。このとき、緑色（Ｇ）の画素と短絡等している画素があれば、青色（Ｂ）
と赤色（Ｒ）の混色表示の中に、緑色も混ざった色として視認されることになるので、短
絡等の有無が非常に発見しやすくなる。
【００３７】
上述したように、本発明においてはＩＣチップ搭載領域３０が極めて小さい場合、詳し
くは検査用端子を３列配置することが困難な程度に小さい場合であっても、少なくとも特
定色の信号線については良好な中間機能検査を実行することが可能となる。
【００３８】
なお、上記実施例においては特定色として緑（Ｇ）が選択されたが、これは検査員が最
も視認しやすい色であることから選択されたものであり、その他の色（Ｒ、Ｂ）のみが異
なる配列とされるようにしても良い。
【００３９】
また、本発明の液晶表示パネル１はカラーフィルタ２３としてＲ、Ｇ、Ｂの３色を用い
た場合について説明したが、これに限定されることなく、例えば他の色を用いた場合であ
っても実行可能であることは言うまでもない。
【図面の簡単な説明】
【００４０】
【図１】本発明の一実施例に係る液晶表示パネルを示す平面図である。
【図２】図１のII−II線で切断した断面図である。
【図３】図１の液晶表示パネルのＩＣチップ搭載前における図１のIII部の拡大平面図である。
【図４】点灯検査を行った状態の図１のIV部の拡大概略平面図である。
【符号の説明】
【００４１】
１…液晶表示パネル  ２…シール材  １０…アレイ基板  １１…ガラス基板  １１ａ…延
在部  １２…走査線  １３、１３ａ〜１３ｎ…信号線  １４…ゲート絶縁膜  １５…層間
絶縁膜  １６…画素領域  ２０…カラーフィルタ基板  ２１…ガラス基板  ２２…ブラッ
クマトリクス  ２３、２３Ｒ、２３Ｇ、２３Ｂ…カラーフィルタ  ２４…共通電極  ３０
…ＩＣチップ搭載領域  ３１、３１ａ〜３１ｎ…バンプ用端子  ３２、３２ａ〜３２ｎ…
検査用端子  ３３、３３ａ〜３３ｎ…引出し線  ＤＲ…ＩＣチップ
【図１】
2008233730.tif 000003
【図２】
2008233730.tif 000004
【図３】
2008233730.tif 000005
【図４】
2008233730.tif 000006